【事件の表示】
　特願２０１５−５０９７７号「車両用操作システム」拒絶査定不服審判事件〔平成２８年９月２３日出願公開、特開２０１６−１６８９５９号、請求項の数（６）〕について、次のとおり審決する。
【結　論】
　原査定を取り消す。
　本願の発明は、特許すべきものとする。
【理　由】
第１　手続の経緯
　本願は、平成２７年３月１３日の出願であって、平成３０年１１月１５日付けで拒絶理由通知がされ、同年１２月２７日に意見書及び手続補正書が提出され、平成３１年２月２８日付けで拒絶査定（以下「原査定」という。）がされ、これに対し、同年４月４日に拒絶査定不服審判の請求がされると同時に手続補正書が提出されたものである。
第２　原査定の概要
　原査定の概要は次のとおりである。
　本願の請求項１〜６に係る発明は、その出願前に日本国内又は外国において、頒布された以下の刊行物に記載された発明であるから、特許法第２９条第１項第３号に該当し、特許を受けることができない。
　本願の請求項１〜６に係る発明は、その出願前に日本国内又は外国において、頒布された以下の刊行物に記載された発明に基いて、その出願前にその発明の属する技術の分野における通常の知識を有する者（以下「当業者」という。）が容易に発明をすることができたものであるから、特許法第２９条第２項の規定により特許を受けることができない。
　［刊行物］
　特開２００６−９６２９６号公報（以下「引用文献１」という。）
第３　本願発明
　本願請求項１〜６に係る発明（以下それぞれ「本願発明１」〜「本願発明６」という。）は、平成３１年４月４日付けの手続補正により補正された特許請求の範囲の請求項１〜６に記載された事項により特定される発明であり、以下のとおりの発明である。
「【請求項１】
　ステアリングコラムから車幅方向の外側に向けて突出させ且つ延在させた長手部材と、
　車載装置が有する作動形態に割り当てられ、ステアリングホイールを握った状態における手指の車両前後の屈伸方向である操作方向への操作を操作形態として検出する動作検出部と、
　前記動作検出部によって検出された前記操作形態に基づいて前記車載装置を制御する制御部と、
を備え、
　前記動作検出部は、前記長手部材の延在方向の先端部に配設され且つ車幅方向の外側を向く先端面を有し、前記先端面における前記操作形態を検出し、
　前記先端面は、車両前後方向で車両前側に投影した投影面積よりも車幅方向で外側に投影した投影面積の方が大きくなるように、前記ステアリングホイール側に近づくに連れて車幅方向の内側から外側に向かって傾斜した傾斜面である、
ことを特徴とする車両用操作システム。
　　【請求項２】
　前記動作検出部は、前記先端面に接触している物体及び当該物体の移動方向の検出が可能な接触式センサを有し、前記接触式センサによって前記操作方向への接触操作を前記操作形態として検出する、
請求項１に記載の車両用操作システム。
　　【請求項３】
　前記先端面は、車幅方向において、前記ステアリングホイールの車幅方向における先端部と同位置又は先端部の近傍に位置する、
請求項１又は２に記載の車両用操作システム。
　　【請求項４】
　前記ステアリングコラムにおける車幅方向の左端と右端の内の少なくとも一方に、前記長手部材と前記動作検出部の組み合わせを少なくとも１組設ける、
請求項１から３のいずれか１項に記載の車両用操作システム。
　　【請求項５】
　前記長手部材を有するレバー操作部、及び、前記長手部材の前記ステアリングコラム側の端部を支点にした傾倒動作の傾倒方向を検出するレバー操作検出部を設け、前記長手部材の操作方向としての前記傾倒動作の傾倒方向に割り当てられた前記車載装置又は前記車載装置とは別の車載装置を操作する主操作装置と、
　前記動作検出部を有する副操作装置と、
を備える請求項１から４のいずれか１項に記載の車両用操作システム。
　　【請求項６】
　前記ステアリングコラムにおける車幅方向の左端と右端の内の少なくとも一方に、前記主操作装置と前記副操作装置の組み合わせを少なくとも１組設ける、
請求項５に記載の車両用操作システム。」
第４　引用文献、引用発明等
１　引用文献１について
（１）引用文献１に記載された事項
　原査定の拒絶の理由に引用された引用文献１には、図面とともに次の事項が記載されている（下線は、当審が付した。以下同様である。）。
（１ａ）
「【０００４】
　本発明は上記課題に鑑みなされたものであり、手探りにより操作されるスイッチの操作の確実性を向上させ、スイッチを設置可能なスペースを増加させることができる車両用スイッチ装置を提供することを目的とする。」
（１ｂ）
「【００４０】
・・・
　（第２実施形態）
　以下、本発明をステアリングホイールに設けられるスイッチ装置に具体化した第２実施形態を、図６及び図７（ａ），（ｂ）を参照して説明する。なお、本実施形態において、第１実施形態と同じ構成である部分については、同一番号を付しその説明を省略する。
【００４１】
　図６に示すように、
ステアリングホイール３のコラム４の右側に
スイッチ装置５が設けられている
【００４２】
　
スイッチ装置５は、
レバースイッチ５１、視認部としての窓部５２、タッチスイッチ５３を備えている
【００４３】
　図７（ａ），（ｂ）に示すように、レバースイッチ５１は、表面が光を反射する金属等で形成されており、
レバースイッチ５１の先端に
窓部５２が配設されている
窓部５２は、半透明な合成樹脂、あるいはガラスによって形成されて
窓部５２における
操作者側
には、
カーナビ
を操作する時に使用される４つの矢印５２ａ
が上下左右方向にそれぞれ外側に向かって描かれ
窓部５２における
反操作者側
には、タッチスイッチ５３が配設されている
矢印５２ａは、窓部５２を介してタッチスイッチ５３と向かい合うように配置され
タッチスイッチ５３は、透明もしくは半透明に形成されており
タッチスイッチ５３は、指が触れた座標を検出可能である
ため
該座標から４つの矢印５２ａのいずれが操作されたのかを特定でき
【００４４】
　
タッチスイッチ５３は、窓部５２に対して
露出部５３ａ
が露出されており、この露出部５３ａを操作者がタッチ操作する
露出部５３ａと窓部５２とは、
窓部５２の
反操作者側
において面一となっている
窓部５２の長さは、レバースイッチ５１の長手方向において、
操作者側
からタッチスイッチ５３が視認できる長さに設定され
【００４５】
　（第２実施形態の作用）
　次に上記の構成のスイッチ装置５の作用について説明する。
　図６及び図７（ａ）に示すように、スイッチ装置５をＸ方向に傾動させると、その旨を示す信号が制御装置（図示略）に入力され、該制御装置から車両の左側のシグナルランプを点滅させる信号が出力される。そして、この左側のシグナルランプ（図示略）が点滅する。この状態からスイッチ装置５を元の位置に復帰させると、左側のシグナルランプの点滅が停止する。一方、スイッチ装置５をＹ方向に傾動させると、その旨を示す信号が前記制御装置に入力され、該制御装置から車両の右側のシグナルランプを点滅させる信号が出力される。そして、この右側のシグナルランプが点滅する。この状態からスイッチ装置５を元の位置に復帰させると、右側のシグナルランプの点滅が停止する。
【００４６】
　図７（ａ），（ｂ）に示すように、
操作者がスイッチ装置５のタッチスイッチ５３を操作する場合、
操作者は
操作者側
から窓部５２を介して指Ｈを視認することができ
指Ｈが窓部５２に描かれた矢印５２ａ（例えば、
右向きの矢印）の裏側に到達したとき、指Ｈを手前側に移動する
指Ｈは
タッチスイッチ５３をタッチ操作する
このタッチ操作をトリガとして、タッチスイッチ５３からオン信号が制御装置に入力され
制御装置からカーナビのカーソルを右方向へと移動させる信号が出力され、カーナビの画面上のカーソルが右方向へと移動する
【００４７】
　（第２実施形態の効果）
　（７）レバースイッチ５１に窓部５２を備え、該窓部５２の裏側（反操作者面側）にタッチスイッチ５３を配設した。このため、タッチスイッチ５３を操作する際、操作者側から窓部５２を介して指Ｈを視認することができる。この結果、誤った選択をしようとしている場合は一瞬でその誤りを認識することができるため、タッチスイッチ５３の誤操作を防止することができる。従って、手探りだけでタッチスイッチ５３のスイッチ操作を行う場合と異なり、操作の確実性を向上させることができる。
【００４８】
　（８）さらに、前記タッチスイッチ５３は窓部５２の反操作者面側に配設されるため、車両の運転席におけるデッドスペースを有効利用することができる。従って、スイッチを設置可能なスペースを増加させることができる。
【００４９】
　（９）タッチスイッチ５３は、窓部５２の裏側（反操作者側）において面一となるように配設されている。このため、タッチ操作するときの触感がよく、指Ｈを滑らせるだけでも容易にタッチ操作を行うことができる。従って、窓部５２を目視しなくてもタッチ操作を行うことができ、利便性が向上する。」
（１ｃ）
　図６及び図７は、以下のとおりである。
（２）引用文献１に記載された発明
ア
　図６及び図７（ａ）、（ｂ）から、「レバースイッチ５１」（摘記（１ｂ）の段落【００４２】参照）は、その形状が、ステアリングホイール３のコラム４からステアリングホイール３の右端よも外側に延びる棒状であることが看取できる。
イ
　図６及び図７（ａ）、（ｂ）から、「露出部５３ａ」（摘記（１ｂ）の段落【００４４】参照）は、ステアリングホイール３側に近づくに連れて車幅方向の内側から外側に向かって傾斜した傾斜面となっていることが看取できる。
ウ
　段落【００４４】の「タッチスイッチ５３は、窓部５２に対して一部（露出部５３ａ）が露出されており、この露出部５３ａを操作者がタッチ操作する」という記載及び図７（ａ）から、段落【００４６】の「指Ｈは該タッチスイッチ５３をタッチ操作する」ことは、指Ｈはタッチスイッチ５３の露出部５３ａをタッチ操作することであると認められる。
エ
　段落【００４６】の「スイッチ装置５」と「制御装置」とは、車両用システムの構成要素であることが明らかであり、制御装置とスイッチ装置５とを備える車両用のシステムが認められる。
オ
　上記ア〜エ、摘記（１ｂ）及び図６、７（ａ）（ｂ）（摘記（１ｃ）参照）から、引用文献１には、次の発明（以下「引用発明」という。）が記載されていると認められる。
　［引用発明］
「ステアリングホイール３のコラム４の右側に設けられているスイッチ装置５は、
　ステアリングホイール３のコラム４からステアリングホイール３の右端よも外側に延びる棒状のレバースイッチ５１と、
　レバースイッチ５１の先端に配設され、半透明な合成樹脂あるいはガラスによって形成されている視認部としての窓部５２と、
　窓部５２における反操作者側に配設され、透明もしくは半透明に形成されているタッチスイッチ５３と、を備え、
　窓部５２の長さは、レバースイッチ５１の長手方向において、テアリングホイール３側である操作者側からタッチスイッチ５３が視認できる長さに設定され、
　窓部５２における操作者側には、カーナビを操作する時に使用される４つの矢印５２ａが、上下左右方向にそれぞれ外側に向かって描かれ、窓部５２を介してタッチスイッチ５３と向かい合うように配置され、
　タッチスイッチ５３は、窓部５２に対して露出部５３ａが露出されており、露出部５３ａは、ステアリングホイール３側に近づくに連れて車幅方向の内側から外側に向かって傾斜した傾斜面であり、露出部５３ａと窓部５２とは、反操作者側において面一となっており、
　操作者がスイッチ装置５のタッチスイッチ５３を操作する場合、操作者は操作者側から窓部５２を介して指を視認することができ、指が窓部５２に描かれた矢印５２ａ（例えば右向きの矢印）の裏側に到達したとき、指を手前側に移動し、指はタッチスイッチ５３の露出部５３ａをタッチ操作し、タッチスイッチ５３は、指が触れた座標を検出可能であるため、該座標から４つの矢印５２ａのいずれが操作されたのかを特定でき、このタッチ操作をトリガとして、タッチスイッチ５３からオン信号が制御装置に入力され、制御装置からカーナビのカーソルを右方向へと移動させる信号が出力され、カーナビの画面上のカーソルが右方向へと移動する、
　上記制御装置と上記スイッチ装置５とを備える車両用のシステム。」
第５　対比・判断
１　本願発明１について
（１）対比
ア
　引用発明の「ステアリングホイール３のコラム４」及び「ステアリングホイール３のコラム４からステアリングホイール３の右端よも外側に延びる棒状のレバースイッチ５１」は、それぞれ、本願発明１の「ステアリングコラム」及び「ステアリングコラムから車幅方向の外側に向けて突出させ且つ延在させた長手部材」に相当する。
イ
（ア）
　引用発明は、「操作者がスイッチ装置５のタッチスイッチ５３を操作する場合、操作者は操作者側から窓部５２を介して指を視認することができ、指が窓部５２に描かれた矢印５２ａ（例えば右向きの矢印）の裏側に到達したとき、指を手前側に移動し、指はタッチスイッチ５３の露出部５３ａをタッチ操作し、タッチスイッチ５３は、指が触れた座標を検出可能であるため、該座標から４つの矢印５２ａのいずれが操作されたのかを特定でき、このタッチ操作をトリガとして、タッチスイッチ５３からオン信号が制御装置に入力され、制御装置からカーナビのカーソルを右方向へと移動させる信号が出力され、カーナビの画面上のカーソルが右方向へと移動する」（以下「構成Ａ」ともいう。）という構成を備える。
　引用発明の構成Ａの「カーナビ」及び「タッチスイッチ５３」は、それぞれ、本願発明１の「車載装置」及び「動作検出部」に相当する。
（イ）
　上記（ア）を踏まえると、引用発明の構成Ａの「カーナビの画面上のカーソルが右方向へと移動する」構成は、本願発明１の「車載装置が有する作動形態」の構成に相当する。
（ウ）
　引用発明の構成Ａにおいて、「タッチスイッチ５３は、指が触れた座標を検出可能であるため、該座標から４つの矢印５２ａのいずれが操作されたのかを特定でき、このタッチ操作をトリガとして、タッチスイッチ５３からオン信号が制御装置に入力され、制御装置からカーナビのカーソルを右方向へと移動させる信号が出力され、カーナビの画面上のカーソルが右方向へと移動する」から、引用発明の構成Ａの「タッチスイッチ５３」は、「座標から４つの矢印５２ａのいずれが操作されたのかを特定でき」、「制御装置」によって「カーナビの画面上のカーソルが右方向へと移動する」構成（本願発明１の「車載装置が有する作動形態」の構成に相当。上記（イ）参照。）が得られるものであるから、引用発明の構成Ａの「タッチスイッチ５３」は、上記の「特定」によって、上記の「カーナビの画面上のカーソルが右方向へと移動する」構成（本願発明１の「車載装置が有する作動形態」の構成に相当。上記（イ）参照。）に割り当てられているといえる。
　要は、引用発明の構成Ａの「タッチスイッチ５３」（本願発明１の「動作検出部」に相当。上記（ア）参照。）は、「車載装置が有する作動形態」に割り当てられているといえる。
（エ）
　引用発明の構成Ａの「指が窓部５２に描かれた矢印５２ａ（例えば右向きの矢印）の裏側に到達したとき、指を手前側に移動し、指はタッチスイッチ５３の露出部５３ａをタッチ操作」する構成は、本願発明１の「手指の」「操作方向への操作」の構成に相当する。
　また、引用発明の構成Ａの「４つの矢印５２ａのいずれが操作されたか」という構成は、本願発明１の「操作形態」の構成に相当する。
　そして、引用発明の構成Ａにおいて、「指はタッチスイッチ５３の露出部５３ａをタッチ操作し、タッチスイッチ５３は、指が触れた座標を検出可能であるため、該座標から４つの矢印５２ａのいずれが操作されたのかを特定でき」るから、引用発明の「タッチスイッチ５３」は、上記の「タッチ操作」（本願発明１の「手指の」「操作方向への操作」の構成に相当。）を、「４つの矢印５２ａのいずれが操作されたか」という構成（本願発明１の「操作形態」の構成に相当。）を「特定」することで（「・・・を特定する」は、「・・・として」という意味に解されることが明らかである。）、検出しているといえる。
　要は、引用発明の構成Ａの「タッチスイッチ５３」（本願発明１の「動作検出部」に相当。上記（ア）参照。）は、「手指の」「操作方向への操作」を「操作形態」として検出しているといえる。
（オ）
　上記（ア）〜（エ）を踏まえると、引用発明の構成Ａの「タッチスイッチ５３」と、本願発明１の「車載装置が有する作動形態に割り当てられ、ステアリングホイールを握った状態における手指の車両前後の屈伸方向である操作方向への操作を操作形態として検出する動作検出部」とは、「車載装置が有する作動形態に割り当てられ、手指の操作方向への操作を操作形態として検出する動作検出部」の限りで共通している。
ウ
（ア）
　引用発明の構成Ａにおいて、「このタッチ操作をトリガとして、タッチスイッチ５３からオン信号が制御装置に入力され、制御装置からカーナビのカーソルを右方向へと移動させる信号が出力され、カーナビの画面上のカーソルが右方向へと移動する」から、引用発明の構成Ａの「制御装置」は、「カーナビ」（本願発明１の「車載装置」に相当。上記イ（ア）参照。）を制御するといえる。
（イ）
　引用発明の構成Ａの「タッチスイッチ５３」（本願発明１の「動作検出部」に相当。上記（ア）参照。）は、「手指の」「操作方向への操作」を「操作形態」として検出しているといえるから（上記イ（エ））、引用発明の構成Ａの「このタッチ操作」（タッチスイッチ５３をタッチするタッチ操作といえる。）の動作により、動作検出部によって検出された操作形態が認識されるといえる。
　そして、引用発明の構成Ａの「このタッチ操作をトリガとして」いる「制御装置」の制御は、前記の動作検出部によって検出された操作形態（制御装置が認識した操作形態といえる。）を「トリガとして」いる、すなわち、動作検出部によって検出された操作形態に基づいている、といえる。
（ウ）
　上記（ア）、（イ）を踏まえると、引用発明の構成Ａの「制御装置」は、本願発明１の「前記動作検出部によって検出された前記操作形態に基づいて前記車載装置を制御する制御部」に相当する。
エ
（ア）
　引用発明は、「レバースイッチ５１の先端に配設され、半透明な合成樹脂あるいはガラスによって形成されている視認部としての窓部５２と、窓部５２における反操作者側に配設され、透明もしくは半透明に形成されているタッチスイッチ５３と、を備え、」「タッチスイッチ５３は、窓部５２に対して露出部５３ａが露出されており、露出部５３ａは、ステアリングホイール３側に近づくに連れて車幅方向の内側から外側に向かって傾斜した傾斜面であり、露出部５３ａと窓部５２とは、反操作者側において面一となっており、」（以下「構成Ｂ」ともいう。）という構成を備える。
（イ）
　構成Ｂによれば、「露出部５３ａ」は、「傾斜面であり」、「窓部５２」が「備え」る「タッチスイッチ５３」に「露出されて」いるから、構成Ｂの「露出部５３ａ」は、構成Ｂの「窓部５２」と同様に、「レバースイッチ５１の先端に配設され」ている面といえる。
　したがって、当該「露出部５３ａ」は、「ステアリングホイール３のコラム４からステアリングホイール３の右端よも外側に延びる棒状のレバースイッチ５１」（本願発明１の「ステアリングコラムから車幅方向の外側に向けて突出させ且つ延在させた長手部材」に相当。上記ア参照。）に「配設され」ている面であり、引用発明の構成Ｂの「露出部５３ａ」は、本願発明１の「前記長手部材の延在方向の先端部に配設され」た「先端面」に相当する。
（ウ）
　引用発明の構成Ｂの「ステアリングホイール３」及び「ステアリングホイール３側に近づくに連れて車幅方向の内側から外側に向かって傾斜した傾斜面」は、それぞれ、本願発明１の「ステアリングホイール」及び「ステアリングホイール側に近づくに連れて車幅方向の内側から外側に向かって傾斜した傾斜面」に相当する。
（エ）
　引用発明の構成Ｂの「露出部５３ａ」は、引用発明の構成Ａの「タッチスイッチ５３の露出部５３ａ」であるから、実質的に構成Ａの「タッチスイッチ５３」と同様に、構成Ａの「４つの矢印５２ａのいずれが操作されたか」（本願発明１の「操作形態」に相当。）を検出しているといえる（上記イ（エ））。
（オ）
　引用発明の構成Ｂの「タッチスイッチ５３」は、上記（イ）及び（エ）の「露出部５３ａ」に係る構成、及び、（ウ）の構成を備えるから、引用発明の構成Ｂの「タッチスイッチ５３」の構成と、本願発明１の「前記動作検出部は、前記長手部材の延在方向の先端部に配設され且つ車幅方向の外側を向く先端面を有し、前記先端面における前記操作形態を検出し、前記先端面は、車両前後方向で車両前側に投影した投影面積よりも車幅方向で外側に投影した投影面積の方が大きくなるように、前記ステアリングホイール側に近づくに連れて車幅方向の内側から外側に向かって傾斜した傾斜面である」構成とは、「前記動作検出部は、前記長手部材の延在方向の先端部に配設された先端面を有し、前記先端面における前記操作形態を検出し、前記先端面は、前記ステアリングホイール側に近づくに連れて車幅方向の内側から外側に向かって傾斜した傾斜面である」構成の限りで共通している。
オ
　引用発明の「上記制御装置と上記スイッチ装置５とを備える車両用のシステム」は、本願発明１の「車両用操作システム」に相当する。
　以上から、本願発明１と引用発明との一致点及び相違点は、以下のとおりである。
＜一致点＞
「ステアリングコラムから車幅方向の外側に向けて突出させ且つ延在させた長手部材と、
　車載装置が有する作動形態に割り当てられ、手指の操作を操作形態として検出する動作検出部と、
　前記動作検出部によって検出された前記操作形態に基づいて前記車載装置を制御する制御部と、
を備え、
　前記動作検出部は、前記長手部材の延在方向の先端部に配設された先端面を有し、前記先端面における前記操作形態を検出し、
　前記先端面は、前記ステアリングホイール側に近づくに連れて車幅方向の内側から外側に向かって傾斜した傾斜面である、
車両用操作システム。」
＜相違点１＞
　「手指の操作を操作形態として検出する動作検出部」が、本願発明１は、「ステアリングホイールを握った状態における」手指の「車両前後の屈伸方向である」操作方向への操作を操作形態として検出する動作検出部であるのに対して、引用発明はそのように特定されていない点。
＜相違点２＞
　「先端面」が、本願発明１は、前記長手部材の延在方向の先端部に配設され「且つ車幅方向の外側を向く」先端面であり、「車両前後方向で車両前側に投影した投影面積よりも車幅方向で外側に投影した投影面積の方が大きくなるように」傾斜した傾斜面であるのに対して、引用発明はそのように特定されていない点。
（２）相違点についての判断
　相違点について、以下検討する。
ア　相違点１について
（ア）
　引用文献１には、ステアリングホイール３を握った状態で、レバースイッチ５のタッチスイッチ５３を操作することは、記載も示唆もされていない。
（イ）
　ステアリングホイール３を握った状態で、レバースイッチ５のタッチスイッチ５３を操作するためには、幅方向における、レバースイッチ５の端部の位置と、ステアリングホイール３の幅方向の端部の位置とを、適切な位置となるように調節することが必要となるが、そのようなことは、引用文献１には記載も示唆もされていない。
（ウ）
　したがって、引用文献１には、上記相違点１に係る発明の構成は記載されておらず（上記（ア））、当該構成を想到し得る動機付けも存在しないから（上記（イ））、引用発明において、上記相違点１に係る発明の構成を想到することは、当業者が容易になし得たとはいえない。
イ　相違点２について
（ア）
　引用発明において、上記相違点２に係る「車両前後方向で車両前側に投影した投影面積よりも車幅方向で外側に投影した投影面積の方が大きくなるように」傾斜した傾斜面（以下「投影面積に関する傾斜面の構成」ともいう。）を採用すると、窓部５２の幅方向の長さが短くなってしまうから、操作者側に位置する矢印の表示範囲は狭くなり、また、タッチスイッチ５３を側方から操作することになるから、操作者は、操作者側に位置する矢印に手指を一致させ辛くなり、操作性が低下し操作が不確実になってしまうことが明らかであり、「手探りにより操作されるスイッチの操作の確実性を向上させ」るという引用文献１の課題（段落【０００４】）を解決できなくなる。
　また、上記採用の際に、窓部５２の幅方向の長さを維持した場合は、スイッチ装置５自体が大きくなってしまう上に、タッチスイッチ５３の寸法が大きくなるから、手指を動かす範囲が広がり、操作性が低下し操作が不確実になってしまうことが明らかであるから、同様に、上記の課題は解決できなくなる。
　したがって、引用発明において、投影面積に関する傾斜面の構成を含む上記相違点２に係る本願発明１の構成を想到することには、阻害要因が存在する。
（イ）
　さらに、投影面積に関する傾斜面の構成は、引用文献１に記載も示唆もされていないし、構成Ａが公知ないし周知であるといえる根拠も無い。
ウ
　したがって、引用発明において、上記相違点２に係る発明の構成を想到することは、当業者が容易になし得たとはいえない。
（３）小括
　よって、本願発明１は、引用発明であるとはいえないし、また、本願発明１は、引用発明及び引用文献１に記載された技術事項に基いて当業者が容易に発明できたものとはいえない。
２　本願発明２〜６につて
　本願発明２〜６は、本願発明１の発明特定事項を全て備え、さらに限定したものであるから、本願発明１と同様に（上記１参照）、引用発明であるとはいえないし、また、本願発明２〜６は、引用発明及び引用文献１に記載された技術事項に基いて当業者が容易に発明できたものとはいえない。
第６　原査定について
　審判請求時の補正により、本願発明１〜６は、少なくとも上記相違点２に係る本願発明１の構成を有するものとなっており、本願発明１〜６は、引用発明であるとはいえないし、また、本願発明１〜６は、引用発明及び引用文献１に記載された技術事項に基いて当業者が容易に発明できたものとはいえない。
　したがって、原査定の理由を維持することはできない。
第７　むすび
　以上のとおり、原査定の理由によっては、本願を拒絶すべきものとすることはできない。
　また、他に本願を拒絶すべき理由を発見しない。
　よって、結論のとおり審決する。